(57)【要約】      （修正有）【課題】コリメートされたＩＲ源から出射されるとともに試料面におけるユーザ定義領域を照射する、変調された赤外光のみを、ＩＲ検出器のすべてのセンサ素子（ピクセル）がピックアップする多素子ＩＲ検出器を備えたＩＲ顕微鏡を提供する。【解決手段】コリメートされた入射ＩＲビーム２６を生成するためのＩＲ光源１と、絞り面２７における有効ビーム制限素子８と、試料位置１５と、ＩＲセンサ１９ａを有するＩＲ検出器１９と、検出器絞り１９ｂと、コリメートされた入射ＩＲビーム２６を試料位置１５に集束させるための第１の光学デバイスと、試料位置１５をＩＲセンサ１９ａに結像するための第２の光学デバイスとを備えるＩＲ顕微鏡において、有効ビーム制限素子８は、コリメートされた入射ＩＲビーム２６内に位置し、かつ第１の光学デバイスと第２の光学デバイスは、検出器絞り開口部を入射ビーム面に結像する。【選択図】図１ａ
2020173427.tif 000002
【特許請求の範囲】
【請求項１】
ＩＲ顕微鏡であって、
コリメートされた入射ＩＲビーム（２６）を生成するためのＩＲ光源（１）と、
前記コリメートされた入射ビーム内の絞り面（２７）における有効ビーム制限素子（８）と、
前記試料を記録するための試料位置（１５）と、
ＩＲセンサ（１９ａ）を有するＩＲ検出器（１９）と、
前記ＩＲセンサ（１９ａ）の上流に配置された、検出器絞り開口部を有する検出器絞り（１９ｂ）と、
前記ＩＲ光源（１）から出射される前記コリメートされた入射ＩＲビーム（２６）を前記試料位置（１５）に集束させるための第１の光学デバイスと、
前記試料位置（１５）を前記ＩＲセンサ（１９ａ）上に結像するための第２の光学デバイスと
を備え、ここで、前記第２の光学デバイスは、対物レンズ（１６）と中間光学ユニット（１８）を含む、ＩＲ顕微鏡において、
前記有効ビーム制限素子（８）は、前記第１の光学デバイスに入射する前の前記コリメートされた入射ＩＲビーム（２６）内に位置し、かつ
前記第１の光学デバイスと前記第２の光学デバイスは、前記検出器絞り（１９ｂ）の前記検出器絞り開口部を入射ビーム面に結像し、ここで、前記入射ビーム面における前記検出器絞り開口部の前記像の面積Ａ１と、前記入射ビーム面における前記コリメートされた入射ＩＲビーム（２６）の断面の面積Ａ２について、
０＜Ａ１／Ａ２≦１
が成り立つことを特徴とする、ＩＲ顕微鏡。
【請求項２】
前記第１の光学デバイスが、前記入射ＩＲビームを前記試料位置に集束させるための更なる対物レンズ（１４）を含むことを特徴とする、請求項１に記載のＩＲ顕微鏡。
【請求項３】
前記第１の光学デバイスが、前記入射ＩＲビーム（２６）を前記試料位置（１５）に集束させるように設けられた対物レンズ（１６）と、前記ＩＲ光源（１）から出射される前記入射ＩＲビーム（２６）を前記対物レンズ（１６）に結合するために設けられたビームスプリッタ光学ユニット（１３ｂ）とを含むことを特徴とする、請求項１に記載のＩＲ顕微鏡。
【請求項４】
前記検出器絞り（１９ｂ）と前記ＩＲセンサ（１９ａ）が、共通の検出器ハウジング（１９ｃ）内にあり、互いに距離ｄだけ離れて配置されており、ここで、前記距離ｄは、好ましくは最大５０ｍｍであることを特徴とする、請求項１から３までのいずれか一項に記載のＩＲ顕微鏡。
【請求項５】
前記中間光学ユニット（１８）が、
【数１】
2020173427.tif 000006
［式中、
ｆ：前記中間光学ユニットの有効焦点距離
ｘ：前記第１の光学デバイスと前記第２の光学デバイスの対物レンズ（１６）とによって作成される前記入射ビーム面の像と、前記第２の光学デバイスの前記対物レンズ（１６）によって作成される前記試料の像との間の距離
ｄ：検出器絞り（１９ｂ）とＩＲセンサ（１９ａ）と間の距離
ｍ：前記中間光学ユニット（１８）の倍率］が成り立つ有効焦点距離ｆを有することを特徴とする、請求項１から４までのいずれか一項に記載のＩＲ顕微鏡。
【請求項６】
前記中間光学ユニット（１８）の倍率ｍが、ｍ＝１であることを特徴とする、請求項６に記載のＩＲ顕微鏡。
【請求項７】
前記有効ビーム制限素子（８）が、前記ＩＲ光源（１）の前記出射アパーチャ（３）であることを特徴とする、請求項１から６のいずれか一項に記載のＩＲ顕微鏡。
【請求項８】
前記有効ビーム制限素子（８）と前記入射ビーム面とが、前記コリメートされたＩＲ光源（１）内に配置されていることを特徴とする、請求項１から６のいずれか一項に記載のＩＲ顕微鏡。
【請求項９】
前記入射ビーム面が、前記絞り面（２７）であることを特徴とする、請求項１から８までのいずれか一項に記載のＩＲ顕微鏡。
【請求項１０】
前記中間光学ユニット（１８）が、オフナー対物レンズ（１８ａ、１８ｂ）を含むことを特徴とする、請求項１から９までのいずれか一項に記載のＩＲ顕微鏡。
【請求項１１】
前記ＩＲ光源が、干渉計（１）、量子カスケードレーザーまたはＦＴＩＲ分光計を含むことを特徴とする、請求項１から１０までのいずれか一項に記載のＩＲ顕微鏡。
【発明の詳細な説明】
【技術分野】
【０００１】
本発明は、コリメートされた入射ＩＲビームを生成するためのＩＲ光源と、コリメートされた入射ビーム内の絞り面における有効ビーム制限素子と、試料を記録するための試料位置と、ＩＲセンサを有するＩＲ検出器と、ＩＲセンサの上流に配置された、検出器絞り開口部を有する検出器絞りと、ＩＲ光源から出射されたコリメートされた入射ＩＲビームを試料位置に集束させるための第１の光学デバイスと、試料位置をＩＲセンサ上に結像するための第２の光学デバイスとを備え、第２の光学デバイスは、対物レンズと中間光学ユニットを含む、ＩＲ顕微鏡に関する。
【背景技術】
【０００２】
このようなＩＲ顕微鏡は、たとえば、［１］、［２］、［３］、および［４］から知られている。
【０００３】
赤外（ＩＲ）顕微鏡を用いて、検査対象である試料のＩＲ像と可視像を生成でき、ここで、測定は通常、透過光と反射光のそれぞれで行うことができる。この目的のために、赤外光と可視光のビーム経路を透過光と反射光とで切り替えることができる。
【０００４】
ここで検討されるＩＲ顕微鏡は、特に、位置分解スペクトル法で顕微鏡試料を測定することができ、すなわち、顕微鏡試料のさまざまな領域で、赤外スペクトル領域のスペクトルが取得される。
【０００５】
この目的のために、ＩＲ光は干渉計を通過するが、ここで、干渉計の両アームの長さは１つまたは複数のミラーの動きによって相対的に変化し、その結果、赤外光はその波長に応じて変調される。この場合、変調周波数は波長に依存し、各波長は変調周波数に一意に割り当てることができる。このように変調された赤外光は、検査対象である試料上に導かれ、試料から発せられる光は、第２の光学デバイスにより赤外線検出器上に集束される。
【０００６】
検出器が受光した変調光には、試料のすべてのスペクトル情報が含まれている。ただし、検出器は、変調されていない周囲からのＩＲ光にも敏感である。この光が検出器に到達した場合、それは情報の増加には寄与せず、検出器のダイナミックレンジを狭める。
【０００７】
これに加えて、望ましくない検出器信号の１つに暗電流がある。したがって、検出器は一般に、センサ材料の熱励起によって引き起こされる可能性がある望ましくない信号を最小限に抑えるために冷却される。検出器は、可能であれば、試料から発せられる変調されたＩＲ光により生じる信号のみを出力するよう構成されている。
【０００８】
周囲からの光を極力抑えるために、検出器は検出器絞りを有する。
【０００９】
従来技術では、検出器絞りのサイズと位置は常に、検出器の上流の最後の結像光学ユニットによって決まる。これに関して、たとえば、［３］では、検出器絞りは、上流の中間光学ユニットからの光のみが検出器絞りを通過できるように寸法決めされている。
【００１０】
しかしながら、冷却されたハウジング（放射線シールド）に囲まれている冷却されたＩＲセンサを使用して、例えば、同様に冷却された検出器絞り（コールドストップ）を通過した光のみがセンサに到達する場合、検出器絞りの位置とサイズを任意に寸法決めすることはできない。なぜなら、それはデュワー瓶内に設置されなければならないからである。そのため、検出器絞りの位置とサイズは一般に、上流の中間光学ユニットに対して最適になるよう調整することができず、むしろ、上流の中間光学ユニットを、測定に必要な光は検出器絞りを通過するが、必要でない光（たとえば環境光）は検出器絞りを通過できないように設計しなければならない。このため、中間光学ユニットは、検出器の方向に半開口角α／２の円錐状のＩＲ光を出射し、試料面の像または試料面の下流の中間像面の像をＩＲセンサ上に生成する。つまり、入射アパーチャの直径の、検出器絞りからＩＲセンサまでの距離ｄに対する比は、中間光学ユニットのＦ値（Ｆ／＃）に対応する。この手順は、たとえば［４］で使用されるような単一素子検出器に完全に適している。しかしながら、この手順は、たとえば［１］と［３］で使用されるような多数のセンサ素子を有する様々な１次元または２次元検出器にとって十分ではない。つまり、冷却された入射アパーチャをセンサの中央のピクセルに対して適切に設定することは可能であるが、センサの中央にない、特にエッジ領域のピクセルに向かう赤外光は、検出器絞りによってケラレる。ケラレを低減するために検出器絞りのみを大きくすると、迷光、特に測定信号を含まない非冷却環境からの光も赤外線検出器のセンサに到達し、測定が損なわれる。
【００１１】
［１］は、多素子検出器を備え、検出器絞りが第２の光学デバイスのカセグレン式対物レンズのミラー上に結像されるＩＲ顕微鏡を開示している。この場合、カセグレン式対物レンズのミラーが装置のビーム制限素子を形成する。しかしながら、第２の光学デバイスのミラーによりビーム制限を行う為、迷光がミラーのエッジで発生し、測定の品質に悪影響を及ぼす。
【発明の概要】
【発明が解決しようとする課題】
【００１２】
本発明は、コリメートされたＩＲ源から出射されるとともに試料面におけるユーザ定義領域を照射する、変調された赤外光のみを、ＩＲ検出器のすべてのセンサ素子（ピクセル）がピックアップする多素子ＩＲ検出器を備えたＩＲ顕微鏡を提案することを課題とする。同時に、ケラレや迷光などの妨害的な現象を回避するものとする。
【課題を解決するための手段】
【００１３】
この課題は、本発明によれば、請求項１に記載のＩＲ顕微鏡によって解決される。
【００１４】
本発明によれば、有効ビーム制限素子は、第１の光学デバイスに入射する前のコリメートされた入射ＩＲビーム内に位置する。本発明によれば、第１の光学デバイスと第２の光学デバイスは、検出器絞りの検出器絞り開口部を入射ビーム面に結像し、ここで、入射ビーム面における検出器絞り開口部の像の面積Ａ１と、入射ビーム面におけるコリメートされた入射ＩＲビームの断面の面積Ａ２について、
０＜Ａ１／Ａ２≦１
が成り立つ。
【００１５】
「有効なビーム制限」とは、有効ビーム制限素子よりもＩＲビームの断面を大幅に制限する更なる素子がデバイス内に存在していない場合になされる。有効ビーム制限素子により、（ＩＲ光の光軸に垂直な）絞り面が決まる。つまり、絞り面は、有効ビーム制限素子によってビームが制限される位置、たとえば、有効ビーム制限絞りまたは有効ビーム制限ミラーの位置にある。
【００１６】
第１の光学デバイスに入射する前のＩＲ光源からの光は、入射ＩＲビームと呼ばれる。入射ＩＲビームがコリメートされている領域では、２°未満の発散角を有することが望ましい。
【００１７】
本発明における入射ビーム面内の検出器絞り開口部と入射ＩＲビームの断面との比の限定により、外部領域からの（たとえば、周囲からの熱放射に基づく）光が検出器に到達することが回避される。つまり、ビーム制限素子を出て試料面における所定の領域を照射する赤外光のみが検出器に到達し、検出器のすべてのピクセルがケラレなしで等しく照射されることが保証される。この場合、Ａ１／Ａ２≦１という記述は、測定の結果を著しく損なわない小さな偏差が、この条件に付随して含まれることを意味するものと理解されるべきである。たとえば、測定に利用可能な有効信号が最適な設定における有効信号の７０％を下回ると、測定は著しく損なわれる。この場合、最適な設定と比較して同等の信号対ノイズの比（７０％×ｓｑｒｔ（２）＝９９％）を取得するには、測定時間を少なくとも２倍にする必要がある。
【００１８】
従来のＩＲ放射源を使用する場合、Ａ１／Ａ２＝１が成り立つＩＲ顕微鏡が使用されることが望ましい。それによって、一方では、環境光が検出器に入ることが回避され、他方では、最大発光効率が保証される。これは、放射源によって検出器の飽和が起こらない場合には最適な設定である。しかしながら、特に、非常に高い光強度の放射源（たとえばＱＣレーザー）を使用する場合、Ａ１／Ａ２＜１の比を規定することも有利であり得る。なぜなら、過度に大きな検出器絞り開口部を使用すると、検出器が飽和状態で動作するリスクがあるためである。本発明はさらに、コリメートされた入射ＩＲビーム内に（つまり、第１の光学デバイスに入射する手前に）有効ビーム制限素子と入射ビーム面が位置することを規定する。つまり、検出器絞り上に結像されるビーム断面は、中間光学ユニットによって決まるのではなく、すでに第１の光学デバイスの上流で決まっている。ビーム制限素子が、コリメートされた入射ビーム内に、つまり、非常にわずかな発散角を有するビーム内に位置することによって、検出器絞りが結像される入射ビーム面の有効ビーム制限素子に対する位置に関して一定の自由度がある。さらに、有効ビーム制限素子が、コリメートされた入射ビーム内に位置することによって、有効ビーム制限素子のエッジで発生する迷光効果の影響が最小限に抑えられる。
【００１９】
好ましくは、入射ビーム面は、有効に制限された入射ビーム内に、つまり絞り面内に、または絞り面と第１の光学デバイスとの間に位置する。
【００２０】
顕微鏡を透過光で使用する構成とする場合、第１の光学デバイスは、入射ＩＲビームを試料位置に集束させるための更なる対物レンズ（集光器）を含む。すなわち、入射ＩＲビームを試料位置に集束させるための対物レンズは、試料の照射後に試料位置を結像するための対物レンズと同じ対物レンズではない。
【００２１】
反射光でＩＲ顕微鏡を使用する場合、第１の光学デバイスは、入射ＩＲビームを試料位置に集束させるために設けられた対物レンズと、ＩＲ光源から出射される入射ＩＲビームを対物レンズに結合するために設けられたビームスプリッタ光学ユニットとを含む。この場合、対物レンズは、試料上に入射ＩＲビームを集束させるためと、試料から反射された光によって中間像を生成するための両方の役割を果たす。この場合、入射ＩＲビームを試料位置に集束させるための対物レンズは、試料の照射後に試料位置を結像するための対物レンズと同じ対物レンズであってよい。
【００２２】
最も単純なケースでは、第１の光学デバイスは無限遠補正対物レンズであってよい。対物レンズとして有限補正対物レンズを使用する場合、第１の光学デバイスはさらに、コリメートされた入射ビームを中間焦点に結像するミラーを備え、中間焦点は次いで有限補正対物レンズにより試料上に結像される。
【００２３】
両方の対物レンズは、ミラー型対物レンズ、屈折型対物レンズまたは反射屈折型対物レンズであってよい。好ましくは、対物レンズは、２つの球面ミラーを備えたカセグレン式対物レンズとして構成される。
【００２４】
検出器は、好ましくは、センサ面に多数の検出素子（ピクセル）を有する２次元検出器である。あるいは、検出素子が直線に沿って配置されているリニアアレイ検出器を使用してもよい。
【００２５】
本発明によるＩＲ顕微鏡の特に好ましい一実施形態では、検出器絞りとＩＲセンサは、共通の検出器ハウジング内に位置し、互いに距離ｄだけ離れて配置されており、距離ｄは、好ましくは最大５０ｍｍである。この場合、本発明によれば、中間光学系によって生成された試料の像と中間光学系によって生成された入射ビーム面の像との間の距離が距離ｄを有するように、試料と入射ビーム面の結像が行われる。
【００２６】
中間光学ユニットは、好ましくは、
【００２７】
【数１】
2020173427.tif 000003
［式中、
ｆ：中間光学ユニットの有効焦点距離
ｘ：第１の光学デバイスと第２の光学デバイスの対物レンズとによって作成される入射ビーム面の像と、第２の光学デバイスの対物レンズによって作成される試料の像との間の距離
ｄ：検出器絞り（１９ｂ）とＩＲセンサ（１９ａ）と間の距離
ｍ：中間光学ユニットの倍率］が成り立つ有効焦点距離ｆを有する。
【００２８】
中間光学ユニットは、全体として有効焦点距離ｆを有する複数の結像光学素子、特に複数のミラーを含むことができる。
【００２９】
検出器絞りとＩＲセンサとの間の距離ｄは、可能な限り大きく選択されることが望ましいが、距離ｄは、配置に利用可能な空間によって制限される。検出器絞り／コールドストップは、好ましくは真空デュワー瓶に配置されるため、この距離は、真空デュワー瓶の寸法によって制限される。したがって、検出器絞りとＩＲセンサとの間の距離ｄは、好ましくは２ｍｍ〜５０ｍｍ、特に１５ｍｍ〜３５ｍｍである。
【００３０】
倍率ｍは、第２の光学デバイスの対物レンズと中間光学ユニットとの所望の総倍率、第２の光学デバイスの対物レンズの位置分解能、およびセンサ素子のピクセルサイズに依存する。好ましくは、倍率ｍは、０．１〜１０の範囲で選択される。
【００３１】
第１の光学デバイスは、ＩＲ光が試料位置に集束されるように設計される。対物レンズは、中間像面に試料の像を生成するように設計される。このように設計された第１の光学デバイスと、このように設計された対物レンズは、対物レンズの背後の入射ビーム面の像も共に生成する。対物レンズの背後の入射ビーム面の像と対物レンズの背後の試料の像とは、互いに距離ｘとなる。通常、距離ｘは、１ｍｍ〜２５０ｍｍ、特に７０ｍｍである。
【００３２】
本発明のように有効焦点距離を選択することにより、中間像面を倍率ｍでセンサ面上に結像し、同時に入射ビーム面を検出器絞り上に結像することができる。倍率ｍによって、試料の像のサイズを検出器に適合させることができる。それにより、検出器絞りの位置における入射ビーム面の像のサイズも影響を受ける。この場合、検出器絞りのサイズを、検出器絞りの位置における入射ビーム面の像のサイズに合わせる。
【００３３】
表面から検出器への熱放射を最小限に抑えるために、検出器と検出器絞りの両方が冷却されることが理想である。ＩＲセンサと検出器絞りは、好ましくは、冷却された検出器ハウジングに収容され、これにより、干渉計と試料からのものではない赤外光を大幅に低減できる。検出器ハウジング内にＩＲセンサと検出器絞りをこのように一緒に収容する場合、検出器絞りと検出器ハウジングとの間の距離を任意に大きくするように選択できないため、中間光学ユニットによる結像比をこの構成に対応したものとする必要がある。
【００３４】
本発明によるＩＲ顕微鏡の特定の一実施形態では、中間光学ユニットの倍率ｍは１である。つまり、中間光学ユニットは、１：１結像（２ｆ結像）をもたらす。
【００３５】
本発明によるＩＲ顕微鏡の特に好ましい一実施形態は、有効ビーム制限素子がＩＲ光源の出射アパーチャであることを規定する。この場合、入射ビーム面は、好ましくは、出射側で、つまりＩＲ光源の出射アパーチャの近くで、たとえば、マイケルソン干渉計の射出瞳で選択される。
【００３６】
別の実施形態では、有効ビーム制限素子と入射ビーム面は、ＩＲ光源内に配置されている。有効ビーム制限素子は、たとえば、ＩＲ光源としての役割を果たす干渉計の中の絞りまたはミラーであってよい。特に、入射ビーム面は、干渉計の入射開口部と出射開口部との間にあってよい。
【００３７】
特に好ましい一実施形態では、入射ビーム面は、絞り面である。つまり、検出器絞り開口部は、絞り面に結像される。それによって、検出器絞り、中間光学ユニットおよびビーム制限素子を互いに簡単に適合させることができる。なぜなら、これは、コリメートされた入射ビームに発散角があったとしても、その発散角とは無関係に行うことができるからである。
【００３８】
中間光学ユニットは、たとえばオフナー対物レンズを含むことができる。オフナー対物レンズは２つの球面ミラーを含み、試料と入射ビーム面の非点収差のない像を中間光学ユニット内に生成する。中間光学ユニットは、オフナー対物レンズに加えて、更なる球面ミラー、非球面ミラーまたはトロイダルミラーを含むことができる。特に、オフナー対物レンズにより生成された像を、非球面ミラーもしくはトロイダルミラーによって検出器もしくは検出器絞り上に結像することができ、または、非球面ミラーもしくはトロイダルミラーによって生成された像を、オフナー対物レンズによって検出器もしくは検出器絞り上に結像することができる。屈折光学素子（レンズ）との組合せも考えられる。
【００３９】
本発明によるＩＲ顕微鏡のＩＲ光源は、干渉計、量子カスケードレーザー（この場合、ＩＲ放射源はＩＲ光源と等しい）またはＦＴＩＲ分光計を含むことができる。
【００４０】
本発明の更なる利点は、説明および図面から明らかである。同様に、上述の特徴と、さらになお詳述される特徴は、本発明によれば、それぞれの場合にそれ自体で個別に、または複数で任意の組合せにおいて使用できる。図示および説明された実施形態は、網羅的な列挙としてではなく、むしろ本発明を概説するための特徴の例示として理解されるべきである。
【図面の簡単な説明】
【００４１】
【図１ａ】ＩＲ光源としての干渉計と、有効ビーム制限素子としての干渉計の出射アパーチャとを備えた、透過光と反射光のそれぞれで使用できる顕微鏡を示す図である。
【図１ｂ】ＩＲ光源としての干渉計を備え、透過光と反射光のそれぞれで使用することができ、有効ビーム制限素子がコリメート素子である顕微鏡を示す図である。
【図２ａ】中間光学ユニットがビームを制限するという想定の下での従来技術による検出器絞りサイズの調整を示す図である。中央のピクセルに対してのみ設定が最適化される。
【図２ｂ】検出器絞りが中央ピクセルに対してのみ最適化され、絞り面像２５が検出器絞り１９ｂと一致しない場合に発生するエッジピクセルのケラレを示す図である。
【図２ｃ】環境光が増加しても、検出器絞り１９ｂを大きくすることによって、図２ｂに示されたようなエッジピクセルのケラレを低減することを示す図である。
【図２ｄ】図２ｃの配置における、放射源からのＩＲ光の光錐と周囲からの妨害光の光錐を示す図である。
【図２ｅ】中間光学ユニットと、ＩＲ顕微鏡のＩＲセンサの中央または外部センサ素子との間のＩＲ光のビーム経路を示す図であり、ビーム制限素子は、検出器絞り開口部の位置に結像され、Ａ１＝Ａ２である。
【図３ａ】Ａ１／Ａ２の比に対する、ＩＲ検出器により検出される総信号、有効信号および環境信号の依存性を示す図である。
【図３ｂ】Ａ１／Ａ２の比の関数としての、総信号に対する有効信号の比に有効信号を乗算したものを示す図である。
【図４】第２の光学デバイスと、ＩＲ顕微鏡のＩＲセンサの中央または外部センサ素子との間のＩＲ光のビーム経路を示す図である。
【図５】図１のＩＲ顕微鏡を、中間光学ユニットの詳細図を付け加えて示す図である。
【発明を実施するための形態】
【００４２】
透過光と反射光のそれぞれで使用できるＩＲ顕微鏡の典型的な構造を図１ａに示す。
【００４３】
反射光により試料の可視像を生成するために、可視光源２０ｂの光を、さまざまな光学素子２１ｂ、１２ｂおよび１３ｂを介して顕微鏡対物レンズ１６に導き、顕微鏡対物レンズ１６は、この光を試料位置１５に集束させる。次いで、試料からの反射光は、対物レンズ１６に再び入射し、試料（または試料の選択された領域）は、第１の中間像面１７に結像される。次いで、この中間像面１７はまた、ダイクロイックミラー２２と結像光学ユニット２３を介してＣＣＤカメラ２４上に結像される。
【００４４】
透過光の場合、試料の可視像の生成は、光源２０ａから出射された可視光が光学素子２１ａ、１２ａおよび１３ａを介して集光器（更なる対物レンズ１４）に導かれ、この光が集光器により試料位置１５に集束されることによって行われる。次いで、試料を透過した透過光は、対物レンズ１６により第１の中間像面１７上に結像される。次いで、この中間像面はまた、ダイクロイックミラー２２と結像光学ユニット２３を介してＣＣＤカメラ２４上に結像される。
【００４５】
赤外光を用いた試料のスペクトル検査では、ＩＲ放射源２から出射されたＩＲ光が干渉計１によって変調される。放射源２から出射された光は、放射源２を出た後、ミラー４を介してコリメートされ、干渉計１に導かれる。ここで、光はビームスプリッタ７に当たり、理想的には、５０％が透過し、５０％が反射される。透過赤外光は、固定ミラー６に当たり、ビームスプリッタ７の方向に再び反射し戻される。先にビームスプリッタ７で反射された光は、可動ミラー５に当たり、同様に再び反射してビームスプリッタ７に戻される。分割されたビームの両方は、ビームスプリッタ７で再結合され、干渉計１の出射アパーチャ３を通って干渉計１を抜ける。可動ミラー５は、赤外光が確実に変調されるように動く。図１ａに示される従来のマイケルソン干渉計に加えて、ＩＲ光源１として、他のタイプの干渉計、たとえば［６］から知られているように、リトロフレクターの形状をした２つの可動ミラーを備えた干渉計も使用できる。変調された赤外光は、干渉計１の出射アパーチャ３を通って干渉計１を出て、第１の光学デバイスによって試料位置１５の試料上に集束され、ひいては試料の領域を照射する。
【００４６】
放射源２と第１の光学デバイスとの間を通過するＩＲビームは、「入射ビーム」と呼ばれる。この例では、入射ビームは、ミラー４によってコリメートされ、干渉計１内と干渉計１から出た後に、コリメートされた入射ビーム２６として進む
図１ａに示されるＩＲ顕微鏡は、透過光と反射光のそれぞれで使用できる。この目的のために、赤外光のビーム経路を透過光と反射光とで切り替えることができる。
【００４７】
反射モード（ＩＲ−Ｒ）では、第１の光学デバイスは、対物レンズ１６（ここでは、２つの球面ミラー１６ａおよび１６ｂを備えたカセグレン式対物レンズ）ならびにミラー９、１０ｂ、１１ｂ、１２ｂおよび１３ｂを含む。ミラー９、１０ｂ、１１ｂ、１２ｂおよび１３ｂは、干渉計１により変調された赤外光を対物レンズ１６に導き、対物レンズ１６は、赤外光を試料位置１５に集束させ、試料の領域を照射する。
【００４８】
透過モード（ＩＲ−Ｔ）では、第１の光学デバイスは、更なる対物レンズ１４、ならびにミラー９、１０ａ、１１ａ、１２ａおよび１３ａを含む。ミラー９、１０ａ、１１ａ、１２ａおよび１３ａは、干渉計から出てくる光を更なる対物レンズ１４に導き、対物レンズ１４は、赤外光を試料位置１５に集束させ、試料の領域を照射する。同様に、更なる対物レンズ１４は、２つの球面ミラー１４ａおよび１４ｂを備えたカセグレン式対物レンズとして構成されていてもよい。
【００４９】
透過光測定（この場合、ｂで表示される素子は存在しない）または反射測定（この場合、ａで表示される素子は存在しない）のためにのみ提供されるＩＲ顕微鏡で本発明を実現することも可能である。
【００５０】
試料から発せられた（反射または透過）光は、第２の光学デバイスによって赤外線検出器１９上に結像される。この目的のために、第２の光学デバイスは、対物レンズ１６と中間光学ユニット１８を含む。対物レンズ１６は、試料から発せられた光を第１の中間像面１７に結像する。中間像面１７に視野絞りを導入することができ、この視野絞りは、試料位置１５の選択された領域からの光のみを通過させ、これにより検査しようとする試料の領域を選択することを可能にする。
【００５１】
次いで、中間光学ユニット１８は、第１の中間像面１７を赤外線検出器１９上に結像する。赤外線検出器１９は、好ましくは、ＩＲセンサ１９ａを備え、ＩＲセンサ１９ａのセンサ面に多数の検出素子（ピクセル）を有する２次元検出器である。あるいは、センサ素子が直線に沿って配置されているリニアアレイ検出器も使用できる。ＩＲセンサ１９ａは、検出素子における熱励起を最小限に抑えるために冷却されることが理想である。図示の例では、ＩＲセンサ１９ａは、同様に冷却される検出器ハウジング１９ｃに組み込まれている。分析される光は、検出器１９の冷却された検出器絞り１９ｂを通って検出器ハウジング１９ｃに入射し、試料位置１５の像をセンサ１９ａ上に生成する。
【００５２】
検出器絞り１９ｂのサイズと位置により、検出器１９のセンサ１９ａに到達できる光が通過する領域が決まる。つまり、それらは検出器１９の視野を決定する。
【００５３】
ＩＲビームは、有効制限素子８によって限定される。これは、（たとえば干渉計の）光学素子であってよい。本発明では、有効ビーム制限素子８は、コリメートされた入射ビーム２６内に位置し、絞り面２７を決定する。ビーム制限素子８の開口部／アパーチャ（絞りの場合）または有効アパーチャ（曲面ミラーの場合）により、絞り面２７における入射ビームの断面が決まる。図１ａでは、出射アパーチャ３が有効ビーム制限素子８を形成する。
【００５４】
図１ｂは、本発明によるＩＲ顕微鏡の別の実施形態を示しており、ここでは、コリメートされた入射ビームの始点を定め、ひいてはコリメートされた入射ビーム内に位置するコリメーションミラー４が、有効ビーム制限素子８である。すなわち、図１ｂに示されるケースでは、干渉計１の出射アパーチャ３でビーム制限はもはや起こらない。
【００５５】
さらに、有効ビーム制限素子８は、たとえば、固定ミラー７、可動ミラー５またはビームスプリッタ７によって定義されてもよいし、干渉計と第１の光学デバイス（図示せず）との間で干渉計１の外側に位置してもよい。
【００５６】
ＩＲ検出器で検出される信号の品質は、干渉計から出射されるＩＲ光によるＩＲセンサの照射と、センサに当たる環境光に依存する。本発明によれば、検出器絞り１９ｂは、コリメートされた入射ビーム２６内の入射ビーム面２９に結像される。像品質、Ａ１／Ａ２の比および検出器絞りの結像の位置の関係を以下に説明する。
【００５７】
図２ａは、赤外線検出器１９と中間光学ユニット１８を示している。中間光学ユニット１８を介して、試料の像が（試料面または下流の中間像面の結像によって）ＩＲセンサ１９ａ上に生成される。従来技術では、検出器絞り１９ｂのサイズと位置は、検出器１９の上流の中間光学ユニット１８からの光錐のみが検出器絞り１９ｂを通過するように寸法決めされている。
【００５８】
図２ｂは、絞り面における入射ビームの断面の像（絞り面像２５）が検出器絞り１９ｂのサイズと位置に対応しない場合の、中間光学ユニット１８と、ＩＲ顕微鏡のＩＲセンサ１９ｂの中央または外部センサ素子との間のＩＲ光のビーム経路を示している。図２ｂの場合、検出器絞り１９ｂが小さすぎて、すべてのピクセルに対して絞り面像２５から発せられるＩＲ光の全てを捕捉することができないため、検出器絞り１９ｂによりエッジピクセル上で光がケラレることになる。絞り面像２５から発せられるすべての光は、コリメートされたＩＲ光源からの光である。
【００５９】
図２ｃは、図２ｂと同じケースを示しているが、ただし、検出器絞り１９ｂを、絞り面像２５から発せられてエッジピクセルに達するＩＲ光のケラレがもはや生じないように大きくしている。しかしながら、検出器絞り１９ｂを大きくすることには欠点もある。なぜなら、絞り面像２５からのものではなく、コリメートされたＩＲ源から発せられたＩＲ光がピクセルに当たる可能性があるからである。周囲からの不要なＩＲ光が検出器に入射する可能性もある。
【００６０】
図２ｄは、この問題を示している。内側の白い円錐で示すＩＲ光３０だけが完全に絞り面像２５を通過し、従って、これはコリメートされたＩＲ光源からのものである。斜線領域３１の光は、コリメートされたＩＲ源からのものではないが、それにもかかわらずセンサ１９ａに達する。
【００６１】
図２ｃと図２ｄは、絞り面像２５が検出器絞り１９ｂと一致しない限り、検出器絞り１９ａに最適なサイズがないことを示している。
【００６２】
図２ｅは、絞り面像２５が検出器絞り１９ａと一致する場合を示している。この場合、コリメートされたＩＲ源から出射され、ひいては絞り面像２５を通過した光のみが検出器に達する。同時に、コリメートされたＩＲ源からの変調されたＩＲ光は、センサ１３ａのいかなるピクセルに対してもケラレない。
【００６３】
したがって、ケラレのない最適な照射と環境光の抑制を両立するために、絞り面像は、検出器絞りに対応していなければならない。逆に言えば、中間光学ユニットと検出器絞りのサイズは、検出器絞りの像が絞り面における入射ビームの断面に対応するように調整されていなければならない。
【００６４】
入射ビーム面における検出器絞り開口部の像の面積Ａ１と入射ビーム面におけるコリメートされた入射ＩＲビームの断面の面積Ａ２の比に対する、ＩＲ検出器により検出される総信号、有効信号および環境信号の依存性を図３ａにグラフ表示する。最適な設定の場合、検出器が飽和しないように留意しなければならない。したがって、総信号に対する有効信号の比が可能な限り高いと理想的である。しかしながら、０≦Ａ１／Ａ２≦１の範囲では、総信号に対する有効信号の比は、常に１に等しい。それでも、絶対的な有効信号が高ければ同時に有利である。したがって、図３ｂは、Ａ１／Ａ２の関数としての、総信号に対する有効信号の比に有効信号を乗算したものを示している。総信号に対する有効信号の比に有効信号を乗算したものがＡ１／Ａ２＝１の場合に最大になることが明らかに見て取られ、ここで、Ａ１／Ａ２＜１の比較的小さい比の場合の値の低下は、結像されるビーム断面よりも小さい検出器絞りに基づくシェーディングに起因し、Ａ１／Ａ２＞１の比較的大きい比の場合の値の低下は、周囲からの迷光（環境信号）の寄与に起因する。
【００６５】
本発明によれば、検出器絞り１９ｂは、第１および第２の光学デバイスによって、コリメートされた入射ビーム内に位置する入射ビーム面に結像され、特に、入射ビーム面における検出器絞り１９ｂの像の面積Ａ１は、入射ビーム面におけるコリメートされた入射ビームの断面の面積と大きさが最大に等しい。それによって、環境光が検出器１９に入射することを防ぐ。つまり、本発明によれば、検出器絞り１９ｂの開口部は、入射面におけるコリメートされた入射ビームのビーム断面に合わせて調整される。検出器絞り１９ｂは、絞り面に（つまり、有効ビーム制限素子８に）結像されることが理想である。つまり、この場合、絞り面と入射ビーム面とが一致する。逆に、このことは、図２ｅに示されるように、ビーム制限素子８の開口部ひいては絞り面におけるコリメートされた入射ビームのビーム断面が検出器絞り１９ｂ上に結像されることを意味する（この場合、絞り面像２５は、検出器絞り１９ｂの面に位置する）。この場合、検出器絞り１９ｂ、第２の光学デバイス１６、１８および有効ビーム制限素子８は、入射ビームの所望の断面が検出器１９に入るように、入射ビームの発散角とは無関係に互いに調整できる。入射ビーム面における検出器絞り１９ｂの開口部の像の面積Ａ１が、入射ビーム面におけるコリメートされた入射ＩＲビーム２６の断面の面積Ａ２以下であるという条件と組み合わせることで、コリメートされた入射ビーム２６のＩＲ光のみが検出器絞り１９ｂを通過することが保証される。図２ｅに示される例では、Ａ１＝Ａ２であり、入射ビーム面のＩＲビームのすべての光は、ＩＲセンサ１９ａに達する。
【００６６】
本発明によれば、入射ビーム面２９と絞り面２７の両方がコリメートされた入射ビーム２６内に位置し、Ａ１≦Ａ２の条件が満たされる限り、入射ビーム面２９と絞り面２７とは必ずしも一致する必要はない。コリメートされた領域における入射ビーム２６の断面は変化しないか、またはわずかに変化するだけなので、本発明によるデバイスの場合、検出器絞り１９ｂ上に結像されるビーム断面は常に、絞り面２７におけるビーム断面と等しいかほぼ等しいものであり、その結果、第１の近似において、ビーム制限素子の位置で有効なビーム断面は、入射ビーム面２７におけるビーム断面であると想定でき、検出器絞り１９ｂのサイズを決定するために使用できる。したがって、ビーム制限素子８の位置は、測定の品質に実質的な影響を及ぼさずに、コリメートされた入射ビーム２６内で比較的自由に選択できる。このことはまた、中間光学ユニット１８の設計を簡単にする。しかしながら、同時に、たとえば、高い光強度の光源２（たとえば、量子カスケードレーザー）が使用され、シェーディングなしのＩＲセンサ１９ａが飽和し、それによって測定が使いものにならない場合に、検出器絞り１９ｂの開口部とビーム制限との比の選択によって、所望のシェーディングを実現できる可能性もある。
【００６７】
したがって、本発明によるデバイスは、発光効率を最大化し妨害効果を最小化すると共に、ビーム制限の種類と位置決めに関して高い自由度を提供する。
【００６８】
中間光学ユニット１８の設計には、特に、中間光学ユニット１８の有効焦点距離ｆが関与する。この有効焦点距離は、以下のように、検出器絞り１９ｂとＩＲセンサ１９ａとの間の距離ｄと、（第１の光学デバイスと第２の光学デバイスの対物レンズ１６とによって作成される）入射ビーム面の像２８と、第２の光学デバイスの対物レンズ１６によって作成される中間像面１７における試料の像との間の距離ｘに依存し（図４）：
【００６９】
【数２】
2020173427.tif 000004
その結果、一方では、試料位置１５に配置された試料がＩＲセンサ１９ａ上に結像され、他方では、コリメートされた入射ビーム内にある入射ビーム面が検出器絞り１９ｂ上に結像される。
【００７０】
図５は、中間光学ユニット１８がたとえばどのように実施され得るのかを示している。ここで、中間光学ユニット１８は、オフナー（［５］）による１倍の対物レンズを含み、これは２つの球面ミラー１８ａおよび１８ｂを介して中間像１７の非点収差のない像１８ｄを生成する。平面ミラー１８ｃは、単にビーム偏向のために用いられる。オフナーによる１倍の対物レンズは、冷却された面検出器１９のための十分なスペースが周囲にある顕微鏡内の位置で試料の像を生成するのに用いられる。ＩＲ検出器１９は通常、デュワー瓶を用い液体窒素で冷却される。代替システムには、たとえば、センサ素子で必要な低温を生成するためのスターリング冷凍機がある。これらすべての検出器には、比較的大きなスペースが必要である。さらに、デュワー瓶の場合、液体窒素の注入口は外部からアクセスできなければならない。試料１８ｄの像の他に、オフナーによる１倍の対物レンズは、入射ビーム面２９の像１８ｇも生成する。ビーム偏向のための平面ミラー１８ｅとミラー１８ｆを備えた下流の光学ユニットは、試料像１８ｄの像が検出器１９のセンサ１９ａ上に生成されるのと同時に、入射ビーム面像１８ｇの像が検出器１９のコールドストップ１９ｂ上に生成されるように構成される。この目的のために、ミラー１８ｆの焦点距離ｆはまず、上記の式
【００７１】
【数３】
2020173427.tif 000005
によって決定される。ミラー１８ｆは軸外結像を生むので、第１に、偏向角を可能な限り小さくするのに有利であり、第２に、決定された焦点距離ｆを有する球面ミラーの代わりに焦点距離ｆおよびｆ’を有するトロイダルミラーを使用することは像品質にとって有利である。ｆ’は、ｆと偏向角度から決定できる。このトロイダルミラーは、形状を容易に変更することもできる。ここで、検出器のセンサ上で最適な像品質をもたらす最適な表面形状は、光線追跡プログラム（たとえばＺｅｍａｘ）によって決定できる。この場合、ミラー１８ｆの表面は、理想的なトロイダル形状からわずかに逸脱し、トロイド様のミラーが形成される。ミラー１８ｆからの光は、検出器の窓１９ｄを通過し、検出器絞り１９ｂにおいて入射ビーム面２９の像を生成すると共に、検出器１９のセンサ１９ａ上に試料の像を生成する。
【００７２】
文献リスト
［１］米国特許第７，４４０，０９５号明細書
［２］独国特許発明第１０２０１２２００８５１号明細書
［３］米国特許第７，３７８，６５７号明細書
［４］Ｂｒｕｋｅｒ  Ｏｐｔｉｋ  ＧｍｂＨ
“ＨＹＰＥＲＩＯＮ  Ｓｅｒｉｅｓ：ＦＴＩＲ  Ｍｉｃｒｏｓｃｏｐｅｓ”
［５］ＤＥ  ２  ２３０  ００２  Ｃ２
［６］ＤＥ  １９  ７０４  ５９８  Ｃ１
【符号の説明】
【００７３】
１  ＩＲ光源／干渉計
２  放射源
３  干渉計１の出射アパーチャ
４  干渉計１のミラー
５  干渉計１の可動ミラー
６  干渉計１の固定ミラー
７  干渉計１のビームスプリッタ
８  有効ビーム制限素子
９  ミラー
１０ａ  透過光測定用ミラー
１０ｂ  反射光測定用ミラー
１１ａ  透過光測定用ミラー
１１ｂ  反射光測定用ミラー
１２ａ  透過測定用光学素子
１２ｂ  反射光測定用光学素子
１３ａ  透過光測定用光学素子
１３ｂ  ビームスプリッタ光学ユニット
１４  集光器／更なる対物レンズ
１５  試料位置
１６  対物レンズ
１７  第１の中間像面
１８  中間光学ユニット
１８ａ，１８ｂ  オフナー対物レンズ／球面ミラー
１８ｃ  平面ミラー
１８ｄ  中間光学ユニット１８における試料の像
１８ｅ  平面ミラー
１８ｆ  ミラー
１８ｇ  中間光学ユニット１８における入射ビーム面内の試料の像
１９  ＩＲ検出器
１９ａ  ＩＲセンサ
１９ｂ  検出器絞り
１９ｃ  検出器ハウジング
２０  透過光測定用可視光源
２０ｂ  反射光測定用可視光源
２１ａ  透過光測定用光学素子
２１ｂ  反射光測定用光学素子
２２  ダイクロイックミラー
２３  結像光学ユニット
２４  ＣＣＤカメラ
２５  絞り面の像
２６  コリメートされた入力ビーム
２７  絞り面
２８  中間光学ユニット１８の上流の入射ビーム面の像
２９  入射ビーム面
【図１ａ】
2020173427.tif 000007
【図１ｂ】
2020173427.tif 000008
【図２ａ】
2020173427.tif 000009
【図２ｂ】
2020173427.tif 000010
【図２ｃ】
2020173427.tif 000011
【図２ｄ】
2020173427.tif 000012
【図２ｅ】
2020173427.tif 000013
【図３ａ】
2020173427.tif 000014
【図３ｂ】
2020173427.tif 000015
【図４】
2020173427.tif 000016
【図５】
2020173427.tif 000017
【外国語明細書】
2020173427000001.pdf
2020173427000002.pdf
2020173427000003.pdf
2020173427000004.pdf